(57)【要約】自動開閉傘の一種であり、親骨、親骨バネ、中棒、下ろくろ、上ろくろ、ボタン、本体、ハンドル、導管、管内バネ、誤弾き防止バネを含む。本発明は傘のハンドルに誤弾き防止縄、爪車、爪車支保蓋、ゼンマイバネ、誤弾き防止ストッパー、復位バネを含む弾き防止装置を設置した。この装置は子弾頭を利用して、誤弾き防止ストッパーと爪車の接続と分離を制御し、弾き防止機能の起動と停止を実現した。ゼンマイバネは弾力制限があるため、弾き防止縄により中管を引っ張り、ゆっくり収めることができ、傘の閉めるペースを制御し、力不足により傘が弾いてしまう問題を解決できる。本発明において誤弾き装置と自動開閉装置は共に存在し、両者はお互いに干渉せず、緊密な構造により安全性が高くなり、商品の寿命も長くなる。
2011522682.tif 000002
【特許請求の範囲】
【請求項１】
自動開閉傘の一種であり、親骨、親骨バネ、中棒、下ろくろ、上ろくろ、ボタン、本体、ハンドル、導管、管内バネ、誤弾き防止バネを含む。
中棒は外管、中管、内管の取付けにより組まれる構造である。導管は内管の中にあり、管内バネは導管と取付け、導管と内管の間に位置する。
上ろくろは外管の上部に固定され、下ろくろは外管と取付け、本体は内管の下部に固定、そしてハンドルに差し込む。
親骨の内端は、それぞれ上ろくろと下ろくろにジョイントし、親骨バネは親骨に取付ける。
ボタンは、動けるように本体に取付ける。
その特徴とは、自動開閉傘は自動開閉装置と誤弾き防止装置を含む。
自動開閉装置は、滑車座、上部滑車、下槽滑車、自動開閉用縄、子弾頭、子弾頭導管、ストッパーピース、ストッパーバネ、ハンガーピース、ハンガーピースバネ、スライドピース、スライドピースバネにより構成される。
滑車座は外管の上部に固定、滑車は動けるように滑車座の中に設置、下槽滑車は下ろくろに設置する。自動開閉用縄の片側は上ろくろに固定、上部滑車と下槽滑車を回してから、片側を内管の内部を通させ、子弾頭に固定する。
子弾頭導管は、内管下端の内部に取付け、子弾頭は子弾頭導管の中で自由にスライドできる。
ストッパーピースとストッパーバネは、本体の中で横方向で設置される。ストッパーピースは、子弾頭導管に入った子彈頭の出っ張る部分を止めることができる。
フックピースとフックバネは、本体の中で横方向で設置され、ストッパーピースの上にある。フックピースは、本体に入った外管下部の挟接槽に入ると、ピン固定ができる。
スライドピースは、内管の下部に取付けてある。スライドピースバネは、内管下部に取付け、スライドピースと本体内横壁の間に圧縮され、スライドピースを上に押し付く力となっている。
誤弾き防止装置は、誤弾き防止縄、爪車、爪車支保蓋、ゼンマイバネ、誤弾き防止ストッパー、復位バネにより構成されている。
誤弾き防止縄の上端は、滑車座に固定して、下端を内管の内部と子弾頭の内部を通させ、最後は爪車に回す。爪車は子弾頭導管の下に設置され、中央部の両側を通し、外に延伸する軸は回転できるように主体内部の爪車支保蓋に取付ける。
ゼンマイバネは、爪車の軸に回され、誤弾き防止ストッパーの上端は本体内部にヒンジ固定し、ヒンジを囲んで動ける。上部の横方向へ延伸する押えピースは、子弾頭導管の側壁の通槽を通し、子弾頭導管内部の子弾頭先端と接触する。復位バネは誤弾き防止ストッパーの裏部と本体内壁の間に設置される。
誤弾き防止バネは、外管上部の管壁内に取付け、中管上部と滑車座下部の間に圧縮される。
【請求項２】
請求項１の自動開閉傘は、さらにスライド式カバーが設置され、両側ガイドレールを利用してハンドルの外壁でのスライド移動ができる。
【発明の詳細な説明】
【発明の詳細な説明】
【０００１】
〔技術分野〕
本発明は傘と関連して、特に自動開閉傘と関わる。
【０００２】
〔背景技術〕
自動開閉折り畳み傘は自動的に開けたり閉めたりする機能が付き、両手を同時に使わなくても開閉できるのは一番の利便性である。
【０００３】
〔発明の開示〕
〔発明が解決しようとする課題〕
上記の自動開閉傘は、再び開ける前に傘骨を奥まで押さないと開けられないので、力が足りないと弾くことになり、自分か他人に当たる恐れがある。弾くことを避けることは本発明が改善したい一番の課題となった。
【０００４】
〔課題を解決するための手段〕
本発明の目的は、使用上の利便性、安全性を兼ね、傘骨を押す時に弾くことにならず、どんな位置でも簡単に止められ、傘の開閉を制御できる自動開閉傘を提供しようとする。
【０００５】
上記の問題を解決するために、本発明の技術手段は下記のように実現した。
【０００６】
自動開閉傘の一種であり、親骨バネ、中棒、下ろくろ、上ろくろ、ボタン、本体、ハンドル、導管、管内バネ、誤弾き防止バネを含む。
【０００７】
中棒は外管、中管、内管の取付けにより組まれる構造である。導管は内管の中にあり、管内バネは導管と取付け、導管と内管の間に位置する。
【０００８】
上ろくろは外管の上部に固定され、下ろくろは外管と取付け、本体は内管の下部に固定、そしてハンドルに差し込む。
【０００９】
親骨の内端は、それぞれ上ろくろと下ろくろにジョイントし、親骨バネは親骨に取付ける。
【００１０】
ボタンは、動けるように本体に取付ける。
【００１１】
その特徴とは、自動開閉傘は自動開閉装置と誤弾き防止装置を含む。
【００１２】
自動開閉装置は、滑車座、上部滑車、下槽滑車、自動開閉用縄、子弾頭、子弾頭導管、ストッパーピース、ストッパーバネ、ハンガーピース、ハンガーピースバネ、スライドピース、スライドピースバネにより構成される。
【００１３】
滑車座は外管の上部に固定、滑車は動けるように滑車座の中に設置、下槽滑車は下ろくろに設置する。自動開閉用縄の片側は上ろくろに固定、上部滑車と下槽滑車を回してから、片側を内管の内部を通させ、子弾頭に固定する。
【００１４】
子弾頭導管は、内管下端の内部に取付け、子弾頭は子弾頭導管の中で自由にスライドできる。
【００１５】
ストッパーピースとストッパーバネは、本体の中で横方向で設置される。ストッパーピースは、子弾頭導管に入った子弾頭の出っ張る部分を止めることができる。
【００１６】
フックピースとフックバネは、本体の中で横方向で設置され、ストッパーピースの上にある。フックピースは、本体に入った外管下部の挟接槽に入ると、ピン固定ができる。
【００１７】
スライドピースは、内管の下部に取付けてある。スライドピースバネは、内管下部に取付け、スライドピースと本体内横壁の間に圧縮され、スライドピースを上に押し付く力となっている。
【００１８】
誤弾き防止装置は、誤弾き防止縄、爪車、爪車支保蓋、ゼンマイバネ、誤弾き防止ストッパー、復位バネにより構成されている。
【００１９】
誤弾き防止縄の上端は、滑車座に固定して、下端を内管の内部と子弾頭の内部を通させ、最後は爪車に回す。爪車は子弾頭導管の下に設置され、中央部の両側を通し、外に延伸する軸は回転できるように主体内部の爪車支保蓋に取付ける。
【００２０】
ゼンマイバネは、爪車の軸に回され、誤弾き防止ストッパーの上端は本体内部にヒンジ固定し、ヒンジを囲んで動ける。上部の横方向へ延伸する押えピースは、子弾頭導管の側壁の通槽を通し、子弾頭導管内部の子弾頭先端と接触する。復位バネは誤弾き防止ストッパーの裏部と本体内壁の間に設置される。
【００２１】
誤弾き防止バネは、外管上部の管壁内に取付け、中管上部と滑車座下部の間に圧縮される。
【００２２】
自動開閉傘は、さらにスライド式カバーが設置され、両側ガイドレールを利用してハンドルの外壁でのスライド移動ができる。
【００２３】
〔作用と効果〕
従来の自動開閉傘は開ける時に、弾くことが多く、誤弾きの原因は子弾頭とストッパーの離脱したため、自分や他人を当たる危険性が大きい。
【００２４】
上記の方案採用において、本発明は傘のハンドルに誤弾き防止縄、爪車、爪車支保蓋、ゼンマイバネ、誤弾き防止ストッパー、復位バネを含む弾き防止装置を設置した。この装置は子弾頭を利用して、誤弾き防止ストッパーと爪車の接続と分離を制御し、弾き防止機能の起動と停止を実現した。ゼンマイバネは弾力制限があるため、弾き防止縄により中管を引っ張り、ゆっくり収めることができ、傘の閉めるペースを制御し、力不足により傘が弾いてしまう問題を解決できる。
【００２５】
本発明において誤弾き装置と自動開閉装置は共に存在し、両者はお互いに干渉せず、緊密な構造により安全性が高くなり、商品の寿命も長くなる。
【００２６】
なお、本発明ではハンドルの表面にスライド式カバーを増設し、そのカバーはハンドルを沿って上下移動ができ、不用の際にボタンの表面を被り、外力によりボタンを間違い押しなどの誤作動を避けることができる。
【００２７】
〔実施例〕
下記は図面よりの実施例と詳細説明。
【００２８】
図１のように、本発明は自動開閉傘１００であり、傘骨１、親骨バネ２、中棒３、自動開閉装置４、誤弾き防止装置５、上ろくろ６、下ろくろ７、ボタン８、本体９、導管１０、管内バネ１１、誤弾き防止バネ３０、スライド式カバー４０、ハンドル５０を含む。
【００２９】
自動開閉装置４は、主に滑車座４１、上部滑車４２、下槽滑車４３、自動開閉用縄４４、子弾頭４５、子弾頭導管４６、ストッパーピース４７、ストッパーバネ４８、ハンガーピース４９、ハンガーピースバネ４０１、スライドピース４０２、スライドピースバネ４０３により構成される。
【００３０】
滑車座４１は外管３１の上部に固定、滑車４３は動けるように滑車座４１の中に設置、下槽滑車４３は下ろくろ７に設置する。
【００３１】
自動開閉用縄４４の片側は上ろくろ６に固定、上部滑車４２と下槽滑車４３を回してから、片側を内管３３の内部を通させ、子弾頭４５に固定する。
【００３２】
子弾頭導管４６は、内管３３下端の内部に取付け、子弾頭４５は子弾頭導管４６の中で自由にスライドできる。
【００３３】
ストッパーピース４７とストッパーバネ４８は、本体９の中で横方向で設置される。ストッパーピース４７は、子弾頭導管４６に入った子弾頭４５の出っ張る部分を止めることができる。
【００３４】
フックピース４９とフックバネ４０１は、本体９の中で横方向で設置され、ストッパーピース４７の上にある。フックピース４９は、本体に入った外管３１下部の挟接槽に入ると、ピン固定ができる。
【００３５】
スライドピース４０２は、内管３３の下部に取付けてある。スライドピースバネ４０３は、内管３３下部に取付け、スライドピース４０２と本体９内横壁の間に圧縮され、スライドピース４０２を上に押し付く力となっている。
【００３６】
図２のように、誤弾き防止装置５は、主に誤弾き防止縄５１、爪車５２、爪車支保蓋５３、ゼンマイバネ５４、誤弾き防止ストッパー５５、復位バネ５６により構成されている。
【００３７】
誤弾き防止縄５１の上端は、滑車座４１に固定して、下端を内管３３の内部を通させ、最後は爪車５２に回す。爪車５２は子弾頭導管４６の下に設置され、中央部の両側を通し、外に延伸する軸５２１は回転できるように本体９内部の爪車支保蓋５３に取付ける。
【００３８】
ゼンマイバネ５４は、爪車５２の軸５１に回される。
【００３９】
誤弾き防止ストッパー５５の上端は本体９内部にヒンジ固定し、ヒンジを囲んで動ける。上部の横方向へ延伸する押えピース５５１は、子弾頭導管４６の側壁の通槽を通し、子弾頭導管４６内部の子弾頭４５先端と接触する。
【００４０】
復位バネ５６は誤弾き防止ストッパー５５の裏部と本体９内壁の間に設置される。
【００４１】
図１のように、中棒３は外管３１、中管３２、内管３３の取付けにより組まれる構造である。
【００４２】
導管１０は内管３３の中にあり、上端は滑車座４１に固定されており、管内バネ２０は導管と取付け、導管１０と内管３３の間に位置する。
【００４３】
上ろくろ６は外管３１の上部に固定され、下ろくろ７は外管３１と取付け、本体９は内管３３の下部に固定される。
【００４４】
親骨の内端は、それぞれ上ろくろと下ろくろにジョイントし、親骨バネは親骨に取付ける。
【００４５】
ボタン８は、動けるように本体９に取付ける。
【００４６】
本体９は、ハンドル５０に取付ける。
【００４７】
スライド式カバー４０は両側ガイドレールを利用してハンドル５０の外壁でのスライド移動ができる。そのカバーはハンドル５０に沿って縦方向の移動ができ、ボタン８をハンドル５０のボタン槽にカバーすることもできる。
【００４８】
誤弾き防止バネ３０は、外管３１上部の管壁内に取付け、中管３２上部と滑車座４１下部の間に圧縮される。
【００４９】
本発明の仕事原理
〔１〕中棒を収める状態（図１、図２参照）
上ろくろと主体を握って、中棒を外管まで圧縮して、フックピースとリンクさせる。
【００５０】
この時、管内バネは傘を開ける用のパワーを貯め、子弾頭はストップピースとリンクし、子弾頭は誤弾き防止ストッパーを押し、誤弾き防止ストッパーは爪車と離脱、誤弾き防止機能は閉められる。
【００５１】
同時に、誤弾き防止バネも圧縮され、中管を押すと共にスライドピースも押し、下へ移動させる。
【００５２】
この時、スライドピースはボタン下部を固定、傘が開ける前にストッパーの押し込みを確保し、傘開けと傘閉めの順番の制御により、傘開けと誤弾き防止をお互いに干渉しないようにする。
【００５３】
〔２〕傘を開ける状態（図４Ａ、図４Ｂ参照、図１を参考）
ボタン８を押すと、中棒３は釈放され、管内バネの作用により子弾頭と滑車座は反対方向で運動する。
【００５４】
この時、両側が子弾頭４５と滑車座４１に固定される自動開閉用縄は真っ直ぐに引っ張られ、下ろくろを上まで引っ張り、傘開きを実現する。
【００５５】
同時に、誤弾き防止バネも釈放され、スライドピースはスライドピースバネの作用により上にスライドしてボタンの下部を離脱、傘収めの準備をする。
【００５６】
この時、誤弾き防止ストッパーは復位バネの作用により、爪車と離脱する。
【００５７】
〔３〕傘を収めて、誤弾き防止の状態（図３Ａ、図３Ｂ参照）
傘開けの状態でボタン８を押すと、子弾頭４５はストッパーピース４７と分離、子弾頭４５と自動開閉用縄４４は親骨バネ２の作用により引っ張られ、傘閉めが完成する。
【００５８】
誤弾き防止ストッパー５５は復位バネ５６に作用により、爪車５２とリンクし、誤弾き防止機能は開けられる。
【００５９】
中棒３を収めると、誤弾き防止縄５１はゼンマイバネ５４の作用により巻きられる。
【００６０】
中棒３を離すと、爪車５２と滑車座４１の間にある誤弾き防止縄５１は中管３２を引っ張り、誤弾き防止機能は実現できる。
【００６１】
この時の中棒３は、一段一段で収納することができ、この傘の特徴の一つである。
【００６２】
この自動開閉傘１００の自動開閉機能と誤弾き防止機能はお互いリンクするので、お互いに干渉しない。つまり、自動開閉機能をオンにした時、誤弾き防止機能はオフになる。
【００６３】
自動開閉機能をオフにした時、誤弾き防止機能はオンになる。
【００６４】
以上図式により、本発明の構造、特徴、作用効果を説明した。但し本発明は図面表示により実施範囲を制限するとは限らない。本発明のコンセプトに合う的な修飾的な変化は、本発明に含まれるべきという。
【図面の簡単な説明】
【００６５】
【図１】本発明の断面図。
【図２】本発明の誤弾き防止装置の仕組図。
【図３Ａ】本発明における傘を収めて、誤弾き防止の状態図。
【図３Ｂ】本発明における傘を収めて、誤弾き防止の状態図。
【図４Ａ】本発明における傘を開ける状態図。
【図４Ｂ】本発明における傘を開ける状態図。
【符号の説明】
【００６６】
１      親骨                  ４１      滑車座
２      親骨バネ              ４２      上部滑車
３      中棒                  ４３      下槽滑車
４      自動開閉装置          ４４      自動開閉用縄
５      誤弾き防止装置        ４５      子弾頭
６      上ろくろ              ４６      子弾頭導管
７      下ろくろ              ４７      ストッパーピース
８      ボタン                ４８      ストッパーバネ
９      本体                  ４９      フックピース
１０    導管導管              ５０      ハンドル
２０    管内バネ              ５１      誤弾き防止縄
３０    誤作動防止バネ        ５２      爪車
３１    外管                  ５２１    軸
３２    中管                  ５３      爪車支保蓋
３３    内管                  ５４      ゼンマイバネ
４０    スライド式カバー      ５５      誤弾きストッパー
４０１  フックピースバネ      ５５１    押えピース
４０２  スライドピース        ５６      復位バネ
４０３  スライドピースバネ    １００    自動開閉傘
【図１】
2011522682.tif 000003
【図２】
2011522682.tif 000004
【図３Ａ】
2011522682.tif 000005
【図３Ｂ】
2011522682.tif 000006
【図４Ａ】
2011522682.tif 000007
【図４Ｂ】
2011522682.tif 000008
【国際調査報告】
2011522682.tif 000009
2011522682.tif 000010
2011522682.tif 000011
2011522682.tif 000012
2011522682.tif 000013
2011522682.tif 000014
2011522682.tif 000015